(57)【要約】      （修正有）【課題】Ｘ線撮影後、すぐに、その場でＸ線画像を確認することのできるＩＰ読み取り装置、及びＸ線診断装置を提供する。【解決手段】ＩＰ読み取り装置１において、ＩＰ読み取り部１１は、ＩＰから被検体に関するＸ線情報を読み取る。収容部１２はＩＰ読み取り部１１を収容する。ＩＰ支持機構１３は、ＩＰを移動可能に支持する。ＩＰ駆動部１４は、ＩＰを収容部１２から出し入れ可能にするために、ＩＰ支持機構１３を駆動する。画像発生部１５は、ＩＰ読み取り部１１からの出力に基づいて、被検体に関するＸ線画像のデータを発生する。表示部１８は、Ｘ線画像を表示する。【選択図】図１
2015150174.tif 000002
【特許請求の範囲】
【請求項１】
ＩＰから被検体に関するＸ線情報を読み取るＩＰ読み取り部と、
前記ＩＰ読み取り部を収容する収容部と、
前記ＩＰを移動可能に支持するＩＰ支持機構と、
前記ＩＰを前記収容部から出し入れ可能にするために、前記ＩＰ支持機構を駆動するＩＰ駆動部と、
前記ＩＰ読み取り部からの出力に基づいて、前記被検体に関するＸ線画像のデータを発生する画像発生部と、
前記Ｘ線画像を表示する表示部と、
を具備することを特徴とするＩＰ読み取り装置。
【請求項２】
前記ＩＰ支持機構は、前記ＩＰをスライド移動可能に支持すること、
を特徴とする請求項１記載のＩＰ読み取り装置。
【請求項３】
Ｘ線を検出するＸ線検出部と、
前記ＩＰを前記収容部に収容するために、前記Ｘ線検出部からの出力に基づいて前記ＩＰ駆動部を制御する制御部をさらに具備すること、
を特徴とする請求項１記載のＩＰ読み取り装置。
【請求項４】
前記被検体を載置する寝台装置、またはＸ線を発生するＸ線発生部を一端に備えるＣアームに、前記ＩＰ読み取り装置を取り付けるための取り付け部をさらに具備すること、
を特徴とする請求項１記載のＩＰ読み取り装置。
【請求項５】
請求項１乃至４のうち少なくともいずれか一項に記載のＩＰ読み取り装置を備えるＸ線診断装置。
【発明の詳細な説明】
【技術分野】
【０００１】
本発明の実施形態は、ＩＰ読み取り装置及びＸ線診断装置に関する。
【背景技術】
【０００２】
被検体に関するＸ線画像を得る方法として、以下の方法がある。１）感光剤を塗ったフィルムにＸ線の透過像を写す方法（以下、ＦＳ（Ｆｉｌｍ  Ｓｃｒｅｅｎ）と呼ぶ。）、２）被検体を透過したＸ線の情報を記憶させたイメージングプレート（以下、ＩＰ（Ｉｍａｇｉｎｇ  Ｐｌａｔｅ）と呼ぶ。）を、レーザースキャナで読み出し、デジタル信号に変換し、画像を得る方法（以下、ＣＲ（Ｃｏｍｐｕｔｅｄ  Ｒａｄｉｏｇｒａｐｈｙ）と呼ぶ。）、３）Ｘ線を蛍光体で吸収し、発生した光をフォトダイオードで電荷に変換し、電荷に応じたデジタル信号にするＦＰＤ（Ｆｌａｔ  Ｐａｎｅｌ  Ｄｉｓｐｌａｙ）により、画像を得る方法（以下、ＤＲ（Ｄｉｇｉｔａｌ  Ｒａｄｉｏｇｒａｐｈｙ）と呼ぶ。）。なお、ＤＲは広義に解釈すれば、ＣＲもＤＲに属するが、ここではＩＰを用いた撮影方法をＣＲ、ＦＰＤを用いた撮影方法をＤＲと呼ぶ。
【０００３】
従来、ＦＳやＣＲでの撮影では、Ｘ線撮影後、それぞれ現像処理やスキャン処理が必要であるため、撮影結果をその場ですぐに確認することはできない。一方、ＦＰＤを用いたＤＲでは、撮影後すぐにその結果を画像で確認できる。しかしながら、ＩＰ等に比べてＦＰＤは高価であるため、ＦＰＤを用いた撮影セットの導入によるコスト負担が大きいという問題がある。
【発明の概要】
【発明が解決しようとする課題】
【０００４】
目的は、Ｘ線撮影後、すぐに、その場でＸ線画像を確認することのできるＩＰ読み取り装置、及びＸ線診断装置を提供することにある。
【課題を解決するための手段】
【０００５】
本実施形態によるＩＰ読み取り装置は、ＩＰから被検体に関するＸ線情報を読み取るＩＰ読み取り部と、前記ＩＰ読み取り部を収容する収容部と、前記ＩＰを移動可能に支持するＩＰ支持機構と、前記ＩＰを前記収容部から出し入れ可能にするために、前記ＩＰ支持機構を駆動するＩＰ駆動部と、前記ＩＰ読み取り部からの出力に基づいて、前記被検体に関するＸ線画像のデータを発生する画像発生部と、前記Ｘ線画像を表示する表示部と、
を具備することを特徴とする。
【図面の簡単な説明】
【０００６】
【図１】図１は、第１実施形態に係るＩＰ読み取り装置の構成の一例を示すブロック図である。
【図２Ａ】図２Ａは、待機状態における、第１実施形態に係るＩＰ読み取り装置の第１例の外観を示す図である。
【図２Ｂ】図２Ｂは、撮影状態における、第１実施形態に係るＩＰ読み取り装置の第１例の外観を示す図である。
【図３Ａ】図３Ａは、待機状態における、第１実施形態に係るＩＰ読み取り装置の第２例の外観を示す図である。
【図３Ｂ】図３Ｂは、撮影状態における、第１実施形態に係るＩＰ読み取り装置の第２例の外観を示す図である。
【図４Ａ】図４Ａは、第１実施形態に係るＩＰ読み取り装置のＩＰ支持機構の第１例を示す図である。
【図４Ｂ】図４Ｂは、第１実施形態に係るＩＰ読み取り装置のＩＰ支持機構の第２例を示す図である。
【図５Ａ】図５Ａは、第１実施形態に係るＩＰ読み取り装置の第１例を用いた被検体の撮影姿勢の一例を示す図である。
【図５Ｂ】図５Ｂは、第１実施形態に係るＩＰ読み取り装置の第２例を用いた被検体の撮影姿勢の第１例を示す図である。
【図５Ｃ】図５Ｃは、第１実施形態に係るＩＰ読み取り装置の第２例を用いた被検体の撮影姿勢の第２例を示す図である。
【図６Ａ】図６Ａは、第１実施形態の変形例に係るＩＰ読み取り装置の外観を示す図である。
【図６Ｂ】図６Ｂは、第１実施形態の変形例に係るＩＰ読み取り装置の取り付け部の一例を示す図である。
【図７】図７は、第２実施形態に係るＸ線診断装置の構成の一例を示すブロック図である。
【図８】図８は、第２実施形態に係るＸ線診断装置の外観の一例を示す図である。
【発明を実施するための形態】
【０００７】
（第１実施形態）  
以下、図面を参照しながら第１実施形態に係るＩＰ読み取り装置を説明する。以下の説明において、略同一の機能及び構成を有する構成要素については、同一符号を付し、重複説明は必要な場合にのみ行う。
【０００８】
図１は、第１実施形態に係るＩＰ読み取り装置１の構成の一例を示すブロック図である。図１に示すように、第１実施形態に係るＩＰ読み取り装置１は、ＩＰ読み取り部１１、収容部１２、ＩＰ支持機構１３、ＩＰ駆動部１４、画像発生部１５、画像処理部１６、表示制御部１７、表示部１８、入力部１９、ＩＰ制御部２０、及び記憶部２１を有する。
【０００９】
第１実施形態で説明するＩＰ読み取り装置１は、イメージングプレート（以下、ＩＰと呼ぶ。）を読み取る装置である。ＩＰとは、例えば、輝尽性蛍光体と呼ばれるメモリ機能を持つ特殊な蛍光体をシート状にしたプレートである。ＩＰに対して、Ｘ線が照射されると、ＩＰには、透過した被検体に応じた放射線エネルギーが蓄積される。
【００１０】
ＩＰ読み取り部１１は、ＩＰから被検体に関するＸ線情報を読み取る。ＩＰ読み取り部１１は、レーザ走査部、光検出器、Ａ／Ｄコンバータ、及び副走査部を有する。レーザ走査部は、ＩＰを走査するためのレーザ光源とポリゴンミラーなどの光偏向器を有する。レーザ走査部は、ＩＰをレーザービームで走査する。すると、ＩＰは、放射線エネルギーに応じた輝尽発光を発生させる。光検出器は、ＩＰから発生された輝尽発光を検出し、電気信号に変換する。Ａ／Ｄコンバータは、光検出器からの電気信号をデジタル信号に変換する。変換されたデジタル信号は、後述の画像発生部１５に対して出力される。
【００１１】
また、ＩＰ読み取り部１１は、ＩＰに含まれるＸ線情報を消去する。具体的には、ＩＰ読み取り部１１は、ＩＰに対して、長波長の可視光を当てる。すると、ＩＰに蓄積された放射線エネルギーを短波長の光として放出する。以上により、ＩＰに含まれるＸ線情報が消去される。
【００１２】
収容部１２は、少なくともＩＰ読み取り部１１を収容する。収容部１２は、例えば、箱形状を有する。しかしながら、収容部１２は、収容部１２が収容するＩＰが自然光、赤外線、及び蛍光灯等により感光されない構造であれば、他の構造、形状であってもよい。収容部１２は、ＩＰが収容部１２から出し入れ可能にするためのスリットを有する。なお、スリットは、ＩＰが収容部１２から出し入れ可能であれば、他の構造であってもよい。例えば、収容部１２はその一部分に開閉部１２１を有しても良い。開閉部１２１が、開閉駆動部（図示せず）により開閉されることで、収容部１２に収容されているＩＰの出し入れが可能である。スリットを有する収容部１２の構造及び開閉部１２１を有する収容部１２の構造については、後述する。
【００１３】
ＩＰ支持機構１３は、ＩＰを移動可能に支持する。ＩＰ支持機構は、複数のＩＰを支持する構造であってもよい。  
ＩＰ駆動部１４は、収容部１２に収容された状態のＩＰを収容部１２から出すために、ＩＰ支持機構１３を駆動する。ＩＰが収容部１２に収容された状態を、ＩＰ読み取り装置１の待機状態と呼ぶ。また、収容部１２から出された状態のＩＰを収容部１２に収容するために、ＩＰ支持機構１３を駆動する。ＩＰが収容部１２から出された状態を、ＩＰ読み取り装置１の撮影状態と呼ぶ。ＩＰ駆動部１４は、入力部１９を介したユーザ指示に従って、ＩＰ支持機構１３を駆動する。また、ＩＰ駆動部１４は、被検体のＸ線撮影が終了したのを契機に、自動的にＩＰ支持機構１３を駆動してもよい。被検体のＸ線撮影が終了させたかを判定するために、ＩＰ読み取り装置１は、Ｘ線を検出するＸ線検出部を備えても良い。Ｘ線検出部は、例えばＩＰ支持機構１３に備えられる。しかしながら、撮影状態にて、被検体に対して照射されたＸ線を検出できるのであれば、Ｘ線検出部は、他の位置に備えられても良い。例えば、Ｘ線検出部は、収容部１２の一部分、例えば、外面に備えられても良い。後述のＩＰ制御部２０は、Ｘ線検出部からの出力データに基づいて、Ｘ線撮影が終了したかを判定する。具体的には、ＩＰ制御部２０は、Ｘ線検出部のＸ線の検出値を、閾値に対して比較する。ＩＰ制御部２０は、例えば、Ｘ線検出部によるＸ線の検出値が閾値よりも大きくなったタイミングを、Ｘ線撮影が開始されたタイミングであると特定する。そして、Ｘ線検出部によるＸ線の検出値が閾値以下になったタイミングを、Ｘ線撮影が終了されたタイミングであると特定する。ＩＰ制御部２０は、Ｘ線撮影が終了されたことを通知する撮影終了信号をＩＰ駆動部１４に対して出力する。ＩＰ駆動部１４は、ＩＰ制御部２０からの撮影終了信号を受信したのを契機に、または、ＩＰ制御部２０からの撮影終了信号を受信し、所定の時間経過後に、ＩＰ支持機構１３を駆動し、ＩＰを収容部１２に収容する。
【００１４】
なお、ＩＰ支持機構１３が、複数のＩＰを支持する構造であり、待機状態から撮影状態に移行するとき、ＩＰ駆動部１４は、複数のＩＰのうち、データが消去された１つのＩＰが収容部１２から出されるように、ＩＰ支持機構を駆動する。
【００１５】
画像発生部１５は、ＩＰ読み取り部１１からの出力データに基づいて、被検体に関するＸ線画像のデータを発生する。Ｘ線画像を構成する各画素に割り付けられた画素値は、被検体において、Ｘ線の透過経路上の物質に関するＸ線減弱係数に応じた値等である。
【００１６】
画像処理部１６は、画像発生部１５により発生されたＸ線画像のデータに対して、画像処理を実行する。ここでの画像処理とは、例えば、Ｘ線画像のコントラストを操作するための階調変換処理、ノイズを除去するための平滑化処理、及びエッジを強調するための鮮鋭化処理等が含まれる。これらの画像処理のうち、画像処理部１６が実行する画像処理、及びそのパラメータはユーザにより決定される。
【００１７】
表示制御部１７は、画像発生部１５により発生されたＸ線画像のデータ、または画像処理部１６により画像処理が実行された後のＸ線画像のデータに基づいて、画像信号を表示部１８に対して出力する。表示部１８は、表示制御部１７からの画像信号に従って、Ｘ線画像を表示する。なお、第１実施形態に係るＩＰ読み取り装置１は、表示部１８を備える。しかし、Ｘ線画像を即時的に表示できるようであれば、第１実施形態に係るＩＰ読み取り装置１は、表示部１８を備えていなくてもよい。例えば、表示制御部１７は、外部の表示器に対して、画像信号を出力してもよい。
【００１８】
入力部１９は、ＩＰ読み取り装置１に対して、操作者による指示情報を入力するための、インターフェースとして機能する。入力部１９は、例えば、マウスやキーボードなどの入力デバイスを有している。なお、入力デバイスには、トラックボール、タッチパネル、及びスイッチ等が用いられてもよい。操作者は、入力部１９を介して、例えば、ＩＰ移動条件の設定、実行する画像処理の種類の設定、及び画像処理のパラメータの設定に関する指示をＩＰ読み取り装置１に対して入力することができる。ＩＰ移動条件とは、例えば、ＩＰの移動速度及びＸ線撮影の終了と同時にＩＰを自動的に収容するか否かの条件等である。
【００１９】
ＩＰ制御部２０は、ＣＰＵ（Ｃｅｎｔｒａｌ  Ｐｒｏｃｅｓｓｉｎｇ  Ｕｎｉｔ）とメモリ回路等を有する。ＩＰ制御部２０は、入力部１９から入力された情報を受け取り、一時的にメモリ回路に入力情報を記憶する。そして、ＩＰ制御部２０は、この入力情報に基づいてＩＰ読み取り装置１の各部を制御する。具体的には、ＩＰ制御部２０は、ＩＰ読み取り部１１によるＩＰの読み取り処理を制御する。例えば、ＩＰ制御部２０は、撮影状態のＩＰが、収容部１２に収容されたのを契機に、ＩＰ読み取り部１１のＩＰの読み取り処理が実行されるように、ＩＰ読み取り部１１を制御する。また、ＩＰ制御部２０は、入力部１９を介したユーザ指示に従って、ＩＰ読み取り部１１のＩＰのデータ消去が実行されるように、ＩＰ読み取り部１１を制御する。
【００２０】
記憶部２１は、半導体記憶素子であるＦｌａｓｈ  ＳＳＤ（Ｓｏｌｉｄ  Ｓｔａｔｅ  Ｄｉｓｋ）などの半導体記憶装置及びＨＤＤ（Ｈａｒｄ  Ｄｅｓｋ  Ｄｒｉｖｅ）等である。記憶部２１は、ＩＰ制御部２０による制御に従って、Ｘ線画像のデータ、ＩＰ移動条件のデータ、画像処理条件のデータを記憶する。記憶部２１に記憶されたデータは、入力部１９を介したユーザ指示に従って、適宜消去可能である。
【００２１】
以下、第１実施形態に係るＩＰ読み取り装置１の外観について、図２Ａ、図２Ｂ、図３Ａ、及び図３Ｂを参照して説明する。  
図２Ａは、待機状態における、第１実施形態に係るＩＰ読み取り装置１の第１例の外観を示す図である。  
図２Ｂは、撮影状態における、第１実施形態に係るＩＰ読み取り装置１の第１例の外観を示す図である。  
図２Ａに示すように、第１実施形態に係るＩＰ読み取り装置１の第１例（以下、第１例のＩＰ読み取り装置１と呼ぶ。）の収容部１２は、スリットを有する。また、収容部１２は、その一部分に入力部１９及び表示部１８を備える。待機状態において、第１例のＩＰ読み取り装置１は、ＩＰを収容部１２に収容している。そして、待機状態から撮影状態に切り替わると、図２Ｂに示すように、第１例のＩＰ読み取り装置１は、ＩＰを収容部１２から出す。具体的には、ＩＰ制御部２０によりＩＰ駆動部１４が駆動され、ＩＰがＩＰ支持機構１３とともに収容部１２からスライドして出される。
【００２２】
図３Ａは、待機状態における、第１実施形態に係るＩＰ読み取り装置１の第２例の外観を示す図である。  
図３Ｂは、撮影状態における、第１実施形態に係るＩＰ読み取り装置１の第２例の外観を示す図である。  
図３Ａに示すように、第１実施形態に係るＩＰ読み取り装置１の第２例（以下、第２例のＩＰ読み取り装置１と呼ぶ。）の収容部１２は、開閉部１２１を有する。また、収容部１２は、その一部分に入力部１９及び表示部１８を有する。待機状態において、第２例のＩＰ読み取り装置１は、ＩＰを収容部１２に収容している。このとき、開閉部１２１は閉じている。そのため、ＩＰは感光しない。  
図３Ｂに示すように、待機状態から撮影状態に切り替わると、第２例のＩＰ読み取り装置１は、ＩＰを収容部１２から出す。具体的には、ＩＰ制御部２０によりＩＰ駆動部１４が駆動され、開閉部１２１が開き、ＩＰがＩＰ支持機構１３とともに収容部１２から出される。撮影状態において、開閉部１２１は閉じている。これにより、ＩＰは、ＩＰ支持機構１３と開閉部１２１とにより支持されるため、安定する。
【００２３】
次に、第１実施形態に係るＩＰ支持機構１３について、図４Ａ及び図４Ｂを参照して説明する。  
図４Ａは、第１実施形態に係るＩＰ読み取り装置１のＩＰ支持機構１３の第１例を示す図である。  
図４Ｂは、第１実施形態に係るＩＰ読み取り装置１のＩＰ支持機構１３の第２例を示す図である。
【００２４】
図４Ａに示すように、第１実施形態に係るＩＰ読み取り装置１のＩＰ支持機構１３の第１例（以下、第１例のＩＰ支持機構１３と呼ぶ。）は、ＩＰ支持機構１３に対してＩＰを固定するために、例えば、ＩＰを挟む構造を有する。具体的には、図４Ａに示すように、第１例のＩＰ支持機構１３は、ＩＰの４辺のうち、対向する２辺を挟む構造を有する。しかし、第１例のＩＰ支持機構１３は、ＩＰをＩＰ支持機構１３に対して固定できるのであれば、他の位置を挟む構造であってもよい。例えば、第１例のＩＰ支持機構１３は、ＩＰの４角を挟む構造でもよいし、ＩＰの１辺を挟む構造を有してもよい。また、第１例のＩＰ支持機構１３は、ＩＰをＩＰ支持機構１３に対して固定できるのであれば、ＩＰを挟む以外の方法で固定してもよい。図４Ｂに示す、第１実施形態に係るＩＰ読み取り装置１のＩＰ支持機構１３の第２例のように、ＩＰ支持機構１３は、トレーであってもよい。ＩＰ支持機構１３は、そのトレーの上にＩＰを載置することにより、ＩＰをＩＰ支持機構１３に対して固定する。
【００２５】
次に、第１例及び第２例のＩＰ読み取り装置１を用いた被検体の撮影の手順について、それぞれ図５Ａ、図５Ｂ、及び図５Ｃを参照して説明する。
【００２６】
図５Ａは、第１実施形態に係るＩＰ読み取り装置１の第１例を用いた被検体の撮影姿勢の一例を示す図である。  
図５Ｂは、第１実施形態に係るＩＰ読み取り装置１の第２例を用いた被検体の撮影姿勢の第１例を示す図である。  
図Ｃは、第１実施形態に係るＩＰ読み取り装置１の第２例を用いた被検体の撮影姿勢の第２例を示す図である。  
図５Ａ、図５Ｂ、及び図５Ｃは、寝台装置２に載置された被検体をＸ線診断装置４で撮影する様子を示している。撮影状態におけるＩＰ読み取り装置１のＩＰが、Ｘ線診断装置４と対向するようにＩＰ読み取り装置１は配置される。なお、上述のようにＩＰ読み取り装置１を配置する方法は、ユーザがＩＰ読み取り装置１を直接配置する方法、または入力部１９を介したユーザ操作に従って自動的にＩＰ読み取り装置１を配置する方法がある。
【００２７】
図５Ａに示すように、ユーザは、第１例のＩＰ読み取り装置１の撮影位置に被検体を移動させる。被検体は、ＩＰの感光を防止するための感光防止布等で覆われる。そして、入力部１９を介したユーザ操作により、ＩＰが収容部１２から出される。かくして、第１例のＩＰ読み取り装置１は、待機状態から撮影状態になる。そして、ユーザは、被検体の撮影を終了すると、入力部１９を介してＩＰを収容部１２に収容させる。なお、この時、第１例のＩＰ読み取り装置１は、被検体の撮影の終了を契機に、ＩＰを自動的に収容部１２に収容してもよい。ＩＰが収容部１２に収容されると、ＩＰ読み取り部１１により、ＩＰから被検体に関するＸ線情報が読み取られる。画像発生部１５により、ＩＰ読み取り部１１からの出力データに基づいて、被検体に関するＸ線画像のデータが発生される。画像処理部１６により、ユーザ指示に従った画像処理、または予め設定された画像処理がＸ線画像のデータに対して実行される。かくして、表示部１８に、被検体に関するＸ線画像が表示される。そして、入力部１９を介したユーザ指示に従って、ＩＰからデータが消去される。データが消去されたＩＰは、繰り返し使用される。
【００２８】
図５Ａで説明した撮影の手順は、図５Ｂ及び図５Ｃでも同様である。なお、図５Ｃのように、寝台装置２の天板、または天板の一部分がＣＦＲＰ（Ｃａｒｂｏｎ  Ｆｉｂｅｒ  Ｒｅｉｎｆｏｒｃｅｄ  Ｐｌａｓｔｉｃ：炭素繊維強化プラスチック）で構成されているとき、第２例のＩＰ読み取り装置１は、開閉部１２１を構成要素に含まなくても良い。すなわち、開閉部１２１は開いている状態であってもよい。ＣＦＲＰは、Ｘ線透過率が良い。そのため、ＩＰ読み取り装置１は、図５Ｃのように、天板を挟んでＸ線診断装置４と対向する位置にＩＰを保持することで、被検体を透過したＸ線を検出することができる。一方で、ＣＦＲＰはＩＰが感光する要因となる可視光等を通しにくい。また、撮影時は被検体は感光防止布等で覆われる。そのため、図５Ｃのように、のＣＦＲＰで構成された天板の直下にＩＰ読み取り装置１が配置されることで、撮影中でもＩＰが感光されない。そのため、図５Ｃのように第２例のＩＰ読み取り装置１が配置されるとき、第２例のＩＰ読み取り装置１は開閉部１２１を構成要素に含まなくてもよい。
【００２９】
以上述べた、第１実施形態に係るＩＰ読み取り装置１によれば、以下の効果を得ることができる。  
第１実施形態に係るＩＰ読み取り装置１は、ＩＰを移動可能に支持する構造を有する。そして、ＩＰを収容した待機状態から、ユーザ指示に従って、ＩＰを出した撮影状態に移行することができる。そして、被検体に対するＸ線撮影が終了した後、ユーザ指示に従って、ＩＰを収容部１２に収容し、ＩＰの読み取り処理を実行する。そして、ＩＰから読み取られた被検体に関するＸ線情報に基づいてＸ線画像のデータを発生し、ＩＰ読み取り装置１の備える表示部１８、または外部の表示器にＸ線画像を表示することができる。すなわち、ユーザは、ＦＰＤよりも安価なＩＰを用いたＣＲにおいて、Ｘ線撮影後、すぐに、その場で被検体に関するＸ線画像を確認することができる。さらに、ＩＰ読み取り装置１は、被検体に対するＸ線撮影が終了したのを検知し、自動的にＩＰを収容部１２に収容することもできる。これにより、撮影終了の度にユーザによるＩＰの収容操作が不要となる。したがって、ユーザによる診断、治療の効率を向上させることができる。また、撮影状態において、患者は、むき出しのＩＰの上に載置される。ＩＰは、ＩＰを内蔵するカセッテに比べて薄いため、例えば、患者の腰の下にＩＰが挿入されても、患者は違和感なく、撮影に臨むことができる。これにより、患者のＸ線撮影に関連する身体的負担を軽減することができる。
【００３０】
（変形例）  
第１実施形態の変形例に係るＩＰ読み取り装置１について、図６Ａ及び図６Ｂを参照して説明する。
【００３１】
図６Ａは、第１実施形態の変形例に係るＩＰ読み取り装置１の外観を示す図である。図６Ａに示すように、Ｘ線診断装置４で被検体を撮影するとき、被検体は寝台装置２に載置される。第１実施形態の変形例に係るＩＰ読み取り装置１は、被検体を載置する寝台装置２に取り付けられて使用される。そのため、第１実施形態の変形例に係るＩＰ読み取り装置１は、第１実施形態で説明した構成要素以外に、被検体を載置する寝台装置２に固定されるための取り付け部２２を有する。なお、取り付け部２２は、寝台装置２に対してＩＰ読み取り装置１を固定すると記載している。しかし、取り付け部２２は、被検体を載置するものであれば、他の物、例えば、ベッド等に固定可能な構造であってもよい。また、取り付け部２２は、寝台装置２に対して、移動可能な構造を有してもよい。取り付け部２２の移動構造について、図６Ｂを参照して説明する。
【００３２】
図６Ｂは、第１実施形態の変形例に係るＩＰ読み取り装置１の取り付け部２２の一例を示す図である。  
図６Ｂに示すように、取り付け部２２は、寝台装置２に対して、ＩＰ読み取り装置１を移動可能に取り付ける構造を有する。具体的には、取り付け部２２は、スライダ２２１、レール２２２、及び取り付け治具２２３により構成される。スライダ２２１は、スライダ駆動部（図示しない）により駆動される。スライダ２２１は、複数の転動体を有するベアリングを有し、ＩＰ読み取り装置１の底面側に設けられる。レール２２２は、寝台装置２の被検体が載置される天板に長軸方向に沿って、取り付け治具２２３により固定される。スライダ２２１とレール２２２とは、直動軸受を形成する。これにより、天板の長軸方向に沿って、ＩＰ読み取り装置１が移動可能となる。
【００３３】
以上述べた、第１実施形態の変形例に係るＩＰ読み取り装置１によれば、以下の効果を得ることができる。  
第１実施形態の変形例に係るＩＰ読み取り装置１は、被検体を載置した寝台装置２に対して、固定可能な構造を有する。そのため、ＩＰ読み取り装置１を固定した状態の寝台装置２とＸ線診断装置４との間で、位置関係を一度整合させておくことで、撮影時のＸ線診断装置４の位置調整にかかる時間を少なくすることができる。また、第１実施形態の変形例に係るＩＰ読み取り装置１は、被検体を載置した寝台装置２に対して、移動可能な構造を有してもよい。寝台装置２に対して移動可能であることで、患者が動くことなく、被検体の位置にＩＰを移動させることができる。このとき、例えば、Ｘ線診断装置４とＩＰ読み取り装置１との間で、位置整合を一度実施しておけば、Ｘ線診断装置４の移動に連動して、ＩＰ読み取り装置１を移動させることができる。これにより、ＩＰ読み取り装置１の移動によるＸ線診断装置４の位置調整にかかる時間を少なくすることができる。すなわち、第１実施形態の変形例に係るＩＰ読み取り装置１は、第１実施形態に係るＩＰ読み取り装置１に比べて、さらに診断、治療の効率を向上させることができる。
【００３４】
（第２実施形態）  
以下、図７及び図８を参照しながら第２実施形態に係るＸ線診断装置４を説明する。第２実施形態に係るＸ線診断装置４は、第１実施形態に係るＩＰ読み取り装置１の機能を備える。以下の説明において、第１実施形態と同一の機能を有する構成要素については、同一符号を付し、重複説明は必要な場合にのみ行う。
【００３５】
図７は、第２実施形態に係るＸ線診断装置４の構成の一例を示すブロック図である。  
図８は、第２実施形態に係るＸ線診断装置４の外観の一例を示す図である。  
図８に示すように、第２実施形態に係るＸ線診断装置４は、例えば、回診用のＸ線診断装置４である。第２実施形態に係るＸ線診断装置４は、ＩＰ読み取り部１１、収容部１２、ＩＰ支持機構１３、ＩＰ駆動部１４、画像発生部１５、画像処理部１６、表示制御部１７、表示部１８、入力部１９、ＩＰ制御部２０、記憶部２１、システム制御部２３、Ｃアーム２４、高電圧発生部２５、及びＸ線発生部２６を有する。ここでは、ＩＰ読み取り部１１、収容部１２、ＩＰ支持機構１３、ＩＰ駆動部１４、及びＩＰ制御部２０がＩＰ読み取り装置１としての必須構成要素である。したがって、第１実施形態で説明したＩＰ読み取り装置１における複数の構成要素のうち、上述の必須構成要素以外は、Ｘ線診断装置４の機能として含まれてもよい。
【００３６】
システム制御部２３は、ＣＰＵ（Ｃｅｎｔｒａｌ  Ｐｒｏｃｅｓｓｉｎｇ  Ｕｎｉｔ）とメモリ回路等を有する。システム制御部２３は、入力部１９から入力された情報を受け取り、一時的にメモリ回路に入力情報を記憶する。そして、システム制御部２３は、この入力情報に基づいてＸ線診断装置４の各部を制御する。
【００３７】
Ｃアーム２４は、その一端にＸ線発生部２６を保持する。Ｘ線発生部２６は、Ｘ線を発生する真空管である。Ｘ線発生部２６は、高電圧発生部２５からの高電圧（管電圧）の印加及び管電流の供給を受けて、Ｘ線焦点からＸ線を発生する。Ｃアーム２４は、Ｘ線発生部２６と対向するように、ＩＰ読み取り装置１を保持する。具体的には、ＩＰ読み取り装置１が撮影状態にあるとき、Ｃアーム２４は、ＩＰがＸ線発生部２６と対向するように、ＩＰ読み取り装置１を保持する。なお、Ｃアーム２４がＩＰ読み取り装置１を保持すると記載しているが、ＩＰ読み取り装置１が、Ｃアーム２４に取り付け可能な構造を有してもよい。
【００３８】
入力部１９は、Ｘ線診断装置４に対して、操作者による指示情報を入力するための、インターフェースとして機能する。入力部１９は、例えば、マウスやキーボードなどの入力デバイスを有している。なお、入力デバイスには、トラックボール、タッチパネル、及びスイッチ等が用いられてもよい。操作者は、入力部１９を介して、例えば、Ｘ線撮影条件の設定、ＩＰ移動条件の設定、実行する画像処理の種類の設定、及び画像処理のパラメータの設定に関する指示をＸ線診断装置４に対して入力することができる。Ｘ線撮影条件とは、例えば、管電圧、管電流、及び照射時間等の条件を含む。
【００３９】
以上述べた、第２実施形態に係るＸ線診断装置４によれば、以下の効果を得ることができる。  
第２実施形態に係るＸ線診断装置４は、ＩＰ読み取り装置１を備える。ＩＰ読み取り装置１とＸ線発生部２６との間は、Ｃアーム２４を介して位置整合されている。そのため、第２実施形態に係るＸ線診断装置４は、ＦＰＤに比べて安価なＩＰを用いたＸ線撮影でありながら、従来のＦＰＤを用いた撮影と同等程度の操作性を実現することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００４１】
１…ＩＰ読み取り装置、２…寝台装置、４…Ｘ線診断装置、１１…ＩＰ読み取り部、１２…収容部、１３…ＩＰ支持機構、１４…ＩＰ駆動部、１５…画像発生部、１６…画像処理部、１７…表示制御部、１８…表示部、１９…入力部、２０…ＩＰ制御部、２１…記憶部、２２…取り付け部、２３…システム制御部、２４…Ｃアーム、２５…高電圧発生部、２６…Ｘ線発生部、１２１…開閉部、２２１…スライダ、２２２…レール、２２３…取り付け治具
【図１】
2015150174.tif 000003
【図２Ａ】
2015150174.tif 000004
【図２Ｂ】
2015150174.tif 000005
【図３Ａ】
2015150174.tif 000006
【図３Ｂ】
2015150174.tif 000007
【図４Ａ】
2015150174.tif 000008
【図４Ｂ】
2015150174.tif 000009
【図５Ａ】
2015150174.tif 000010
【図５Ｂ】
2015150174.tif 000011
【図５Ｃ】
2015150174.tif 000012
【図６Ａ】
2015150174.tif 000013
【図６Ｂ】
2015150174.tif 000014
【図７】
2015150174.tif 000015
【図８】
2015150174.tif 000016